(57)【要約】【課題】開閉操作が簡単で、見栄えも良く、掃除もし易く、複数枚の引き戸にも対応でき、しかも、引き戸だけでなく間仕切りにも採用できる、引き戸用吊下げ走行体と、引き戸の振れ止め具を提供することにある【解決手段】鴨居の下面に沿って固定した帯板状のレールに磁気吸引力を作用させて引き戸を走行自在に吊り下げるべく、磁石、ローラ、これらの支軸、これら各部材を組み付けて引き戸の上端部に装着するハウジングを備え、前記ローラが、同径を有する２枚のローラ本体の側面間にローラ本体よりも小径を有する肉厚円板形状の磁石を挟んで軸心を揃えて固定した磁石付ローラで構成されている。【選択図】図３
2005030109.tif 000002
【特許請求の範囲】
【請求項１】
鴨居の下面に沿って固定した帯板状のレールに磁気吸引力を作用させて引き戸を走行自在に吊り下げるべく、磁石、ローラ、これらの支軸、これら各部材を組み付けて引き戸の上端部に装着するハウジングを備え、前記ローラが、同径を有する２枚のローラ本体部の側面間にローラ本体部よりも小径を有する肉厚円板形状の磁石を挟んで軸心を揃えて固定した磁石付ローラで構成されていることを特徴とする引き戸用吊下げ走行体。
【請求項２】
２枚のローラ本体部の側面間に固定されている磁石が、肉厚の薄い磁石を同径のヨークを挟んで複数枚重ね合わせたもので構成されている請求項１に記載の引き戸用吊下げ走行体。
【請求項３】
ハウジングに設けた取付け部が、磁石付ローラの支軸の下方位置よりも前後いずれかの方向に偏心させた位置に設けられ、かつ引き戸の上端部に水平回転自在に取り付けられるように構成されている請求項１又は請求項２に記載の引き戸用吊下げ走行体。
【請求項４】
鴨居の下面に沿って固定した帯板状のレールに、引き戸の上端部に装着した上記吊下げ走行体を磁気吸引力によって開閉自在に吊下げた引き戸の振れ止めを行なう振れ止め具であって、引き戸の走行方向に沿った床面又は敷居に設けた埋込レールに磁気吸引力を作用させて引き戸の振れ止めを行なう磁石及び、該磁石を引き戸の下端部に装着するためのハウジングを備えていることを特徴とする引き戸の振れ止め具。
【請求項５】
引き戸の振れ止め具に用いられている磁石が、上記ハウジングに上下進退自在に支持されたローラを介して、埋込レールに吸着しない程度の高さが維持されるように支持されている請求項４に記載の引き戸の振れ止め具。
【請求項６】
鴨居の下面に沿って固定した帯板状のレールに、引き戸上端の前後２箇所に装着した請求項１乃至請求項３のいずれかに記載の引き戸用吊下げ走行体を、磁気吸引力を作用させて支持させることにより引き戸を開閉自在に吊下げるとともに、
引き戸の下端部に装着した請求項４又は請求項５に記載の引き戸の振れ止め具による磁石の吸引力を、引き戸の走行方向に沿った床面又は敷居面に設けた埋込レールに作用させて、引き戸の振れ止めを行なうように構成されている引き戸の支持構造。
【発明の詳細な説明】
【技術分野】
【０００１】
本発明は、磁気吸引力とローラの回転を生かして引き戸や間仕切りを開閉自在に吊り下げる引き戸用吊下げ走行体と、磁石の吸引力を作用させて引き戸の振れ止めを行なう引き戸の振れ止め具と、これらを用いた引き戸の支持構造に関する。
【背景技術】
【０００２】
磁石とローラを用いて引き戸を走行自在に吊下げる従来技術に関する従来技術として、特開２００２−１２９８２４号公報に記載の「磁石懸架装置を持つ引き戸または間仕切り装置」と、実開平５−８３２５８号公報に記載の「引き戸付き間仕切り壁」が公知である。
【０００３】
特開２００２−１２９８２４号公報に記載の「磁石懸架装置を持つ引き戸または間仕切り装置」における磁石懸架装置は、請求項１には、「建築躯体開口部下端部に磁性体を設置し、引き戸又は可動間仕切りの重量を支える懸架装置において、少なくとも磁石と回転体からなる引き戸または可動間仕切りから着脱可能」と記載されており、請求項２には、「建築躯体開口部下端部に磁性体を設置し、引き戸又は可動間仕切りの重量を支える懸架装置において、磁石の両端近傍に回転体を持ち、回転体上端が磁石上端より上に位置する」と記載されている。そして、同公報の図１、図２、図３、図１３、図１６には、ハウジング６内の走行方向に向けた前後２箇所にローラ９，９を備え、ローラ９，９の間に磁石７を設けたものが描かれている。そして、図３、図９には、引き戸１の走行方向に向けた前後２個所の上端部にハウジング６をネジ２４，２４で止めて固定したものが描かれている。
そして、引き戸又は可動間仕切りの振れ止めについて、同公報明細書の段落番号「００１４」の欄には、「引き戸１の下端部にガイド溝１０２を構成する。床上部に該ガイド溝に対向する位置にガイドピン１０３がガイドピンベース１０５に挿入され、引き戸１の側面から加えられた力によって引き戸１が移動するのを規制している。鴨居２に引き戸１の厚みより広い間隔で固定された下垂部材１０１を設けることによって引き戸１の側面から加えられた力によって引き戸１の上部が移動するのを規制している」と記載されている。
【０００４】
一方、実開平５−８３２５８号公報記載の「引き戸付き間仕切り壁」は、請求項１には、「・・・間仕切り壁の上枠の下面部に出入り用開口部に沿って長くなった帯板を設け、・・・引き戸用壁パネルの上端部の前端部に吊り先側ころを設け、帯板乃至吊り先側ころのうちいずれか一方を磁石により形成すると共に他方を該磁石に吸引される磁性体として吊り先側ころを帯板に吸引し、引き戸用パネルを固定壁パネルに重複して出入り用開口部を開く位置と出入り用開口部を閉じる位置とで走行自在として成る」と記載されている。
そして、引き戸用パネルの振れ止めについて、同公報明細書の段落番号「０００８」の欄には、「出入り用開口部５側の固定壁パネルには出入り用開口部５側の下部の側端面にＬ状金具２３の縦片を固着してあり、Ｌ状金具２３の横片に軸を突設して軸にガイドローラ１０が回転自在に取り付けてある。」と記載されている。
【０００５】
【特許文献１】特開２００２−１２９８２４号公報
【特許文献２】実開平５−８３２５８号公報
【発明の開示】
【発明が解決しようとする課題】
【０００６】
特開２００２−１２９８２４号公報に記載の「磁石懸架装置を持つ引き戸または間仕切り装置」の磁石懸架装置によると、同公報における図１、図２、図３、図１６に示すように、ハウジング６内の走行方向に向けた前後２箇所にローラ９，９を備えている点、同じく図１０に示すように、引き戸１の上端にハウジング６をネジ２４，２４で止めて固定する構造になっている点、同じく図１０に示すように、引き戸１の振れ止めを行なうために、引き戸１下方の床面に長尺形状のガイドピンベース１０５を固定してある点において、特に、図７には１枚の引き戸１を開閉する間隔が描かれている点などを考慮すると、この種の引き戸１は、引き違い戸であることが解る。このため、この種の引き戸では、複数枚の戸の各面を揃えた見栄えの良い間仕切りにならない。
また、同じく図１０に示す、床面に突出させたガイドピンベース１０５は、人やワゴン等の出入りの邪魔になるだけでなく、見栄えも悪く、掃き掃除がし難い。
【０００７】
実開平５−８３２５８号公報記載の「引き戸付き間仕切り壁」についても、同公報の図４及び図６に示すように、引き戸用パネル４が引き違い戸であることが解り、複数枚の戸の各面を揃えた見栄えの良い間仕切りにならない。特に、同じく図４に示すように、この引き戸４は、上部の吊り元側ランナ９を固定壁パネル３の上面に支持させ、吊り先側コロ１２を上枠６の下面に設けた帯板７に沿わせ、ガイド溝１１にガイドローラ１０を突入させるという支持構造を有しているために、引き戸用パネル４を着脱する作業が複雑で手間が掛かる。特に、図６に示す出入り用開口部５の中央を、固定壁パネル３を取り外して開ける場合、この固定パネル３の着脱の手間や収納を考慮する必要があるなど、使い勝手に課題が残る。また、床２０上の下係止具２２も、人やワゴン等の出入りの邪魔になる。
【０００８】
本発明は、以上の課題を解決すべく提案されたもので、開閉操作が簡単で、見栄えも良く、掃除もし易く、複数枚の引き戸にも対応でき、しかも、引き戸だけでなく間仕切りにも採用できる、引き戸用吊下げ走行体と、引き戸の振れ止め具を提供することを課題とする。そして、これらを利用した引き戸の支持構造を提供することを課題とする。
【課題を解決するための手段】
【０００９】
上記課題を解決するための手段として挙げる本発明請求項１に記載の引き戸用吊下げ走行体は、鴨居の下面に沿って固定した帯板状のレールに磁気吸引力を作用させて引き戸を走行自在に吊り下げるべく、磁石、ローラ、これらの支軸、これら各部材を組み付けて引き戸の上端部に装着するハウジングを備え、前記ローラが、同径を有する２枚のローラ本体の側面間にローラ本体よりも小径を有する肉厚円板形状の磁石を挟んで軸心を揃えて固定した磁石付ローラで構成されている。
【００１０】
本発明請求項１に記載の引き戸用吊下げ走行体（以下、請求項１の吊下げ走行体、又は吊下げ走行体、と略称する）は、１枚物の引き戸だけでなく、複数枚の引き違い戸、複数枚の間仕切りなどを走行自在に吊下げるために使用するものであり、本発明では、用語が煩雑になるのを避けるため、引き戸だけでなく、引き違い戸、間仕切りなども引き戸と称する。
請求項１の吊下げ走行体及び後述する各請求項に記載の吊下げ走行体は、何れも、引き戸の上端部の走行方向に向けた前後端若しくはこれらの近傍に、各１個ずつ装着して使用する。
磁石付ローラの両端部を構成しているローラ本体は非磁性体材料で形成されている。この非磁性体材料としては、例えば、プラスチック製、真鍮・ステンレス・銅・アルミニウム等の非磁性金属製、セラミック製、木製などが挙げられる。磁石は、２つの吊下げ走行体の磁石で引き戸を吊下げることができる強い磁気吸引力を有することで知られているフェライト磁石、ネオジウム磁石などのいずれかで構成され、とくに、磁気吸引力が極めて強力なことで知られるネオジウム磁石は最適な材料の１つである。磁石は、２枚のローラ本体より小径の肉厚円板形状を有し、その中央に支軸を挿通させる開孔が形成されたものが用いられ、２枚のローラ本体の側面間に軸心を揃えて、接着剤又はネジ止め或いはピンなどで固定されている。
磁石付きローラは、ハウジングで両端を支持した支軸に回転自在に支持され、磁石付きローラの上部はハウジングの上端よりも上方に突出した状態になっている。このため、鴨居の下面に沿って固定した帯板状のレールには、磁石の吸引力をレールに及ばして、２枚のローラ本体の上端部が走行自在に接し、この吸引力によって引き戸を持ち上げている。このように磁石を直接、レールに吸着させないで、２枚のローラ本体と磁石との径の違いによって、磁気吸引させる方式を採ると、レールに沿ったローラ走行が円滑に行なわれる。
また、上述したように肉厚の磁石を挟んで軸方向に２枚のローラ本体を位置させると、レールに接した磁石付きローラの姿勢が安定し、引き戸の振れが相当程度抑えられる。
ハウジングは磁石付きローラを支持して、吊下げ走行体を引き戸の上端部に装着する役割を持ち、その好ましい形状としては、上部を開口させた箱型を挙げる。ハウジングの下部とに引き戸の上端部とをどのような手段で装着するのかについては、請求項１では特に限定しない。
以上、説明した請求項１の吊下げ具を用いて引き戸を鴨居の下面に固定したレールから吊下げると、引き戸を安定した姿勢で吊下げることができ、引き戸の走行も円滑に行なわれる。
【００１１】
そして、更に好ましい形態として本発明請求項２に記載の引き戸用吊下げ走行体（以下、請求項２の吊下げ走行体と略称する）を挙げる。この請求項２の吊下げ走行体は、請求項１に記載の構成の上、更に、２枚のローラ本体部の側面間に固定されている磁石が、肉厚の薄い磁石を同径のヨークを挟んで複数枚設けたもので構成されている。
このように、肉厚の薄い複数枚の磁石の間にヨークを挟むと、磁気吸引力による引き戸を吊下げる力が更に高まり、引き戸の安定性及び落下に対する安全性が向上する。
【００１２】
そして、更に好ましい形態として本発明請求項３に記載の引き戸用吊下げ走行体（以下、請求項３の吊下げ走行体と略称する）を挙げる。この請求項３の吊下げ走行体は、請求項１又は２に記載の構成の上、更に、ハウジングに設けた取付け部が、磁石付ローラの支軸の下方位置よりも前後いずれかの方向に偏心させた位置に設けられ、かつ引き戸の上端部に水平回転自在に取り付けられるように構成されたものになっている。
請求項３に記載の吊下げ走行体を、引き戸上端の走行方向に向けた両端又はこれらの近傍に水平回転自在に取り付けると、引き戸の走行方向をレールの前後幅の範囲内で変化させることができるようになる。この結果、複数枚の引き戸を、面を揃えて閉じることができ、見栄えの良い間仕切りをする手段としては最適である。
【００１３】
また、本発明では、上述した引き戸の振れ止めについても述べる。本発明請求項４に記載の引き戸の振れ止め具は、鴨居の下面に沿って固定した帯板状のレールに、引き戸の上端部に装着した上記吊下げ走行体を磁気吸引力によって開閉自在に吊下げた引き戸の振れ止めを行なう振れ止め具であって、引き戸の走行方向に沿った床面又は敷居に設けた埋込レールに磁気吸引力を作用させて引き戸の振れ止めを行なう磁石及び、該磁石を引き戸の下端部に装着するためのハウジングを備えたもので構成されている。
この振れ止め具は、引き戸の下端部、更に好ましくは、引き戸の下端部の前後方向に向けた両端部若しくはこれらの近傍に装着して使用する。上述した吊下げ走行体によってレール下方に吊下げられた引き戸の下端部は、床面又は敷居よりも若干高い位置にあり、振れ止めを行なう磁石も床面又は敷居の上方に位置する。このため、この磁石による磁気吸引力が下方の埋込レールに作用して、引き戸の振れ止めが図られる。特に本発明では、レールを埋込レールにしたことによって、床面や敷居には凹凸が無く、人やワゴンなどの出入りの邪魔にならず、見栄えもよく、埃が溜まり難く、掃除がし易い。
この結果、鴨居の下面の固定してある帯板状のレールを、引き戸の枚数に対応させて前後幅を広くしたものを用い、これに対応させて埋込レールを並行に複数設けて、請求項３に記載のように引き戸の走行方向を変化できるようにすると、引き戸を手で持って走行させる途中で、引き戸を隣りの埋込レールの上方に移動させ、引き戸の各面を揃えて閉止させることができる。この結果、この構造を間仕切りに採用すると、見栄えがよく、振れ止めが図られた間仕切りができる。
【００１４】
そして更に好ましい形態として、本発明請求項５に記載の引き戸の振れ止め具（以下、請求項５の振れ止め具と略称する）を挙げる、請求項５の振れ止め具は、請求項４に記載の引き戸の振れ止め具に用いられている磁石が、上記ハウジングに上下進退自在に支持されたローラを介して、埋込レールに吸着しない程度の高さが維持されるように支持されたものである。
このように、上下進退自在なローラで磁石を支持させると、引き戸の高さの若干の違いにより、引き戸の下端部から床面や又は敷居までの間隔が違う場合でも、振れ止めを十分に図ることができる。また、永年経過により、鴨居に若干の撓みが生じて、引き戸の下端部と床面又は敷居との間の間隔に変化が生じても、下方の磁石の高さがこれに対応して上下するため、振れ止め力が低下しない。さらに、下方の磁石やローラが上下進退できると、引き戸の着脱に際に、これらが邪魔にならない。
【００１５】
そして、本発明では、請求項６おいて、鴨居の下面に沿って固定した帯板状のレールに、引き戸上端の前後２箇所に装着した請求項１乃至請求項３のいずれかに記載の引き戸用吊下げ走行体を、磁気吸引力を作用させて支持させることにより引き戸を開閉自在に吊下げるとともに、引き戸の下端部に装着した請求項４又は請求項５に記載の引き戸の振れ止め具による磁石の吸引力を、引き戸の走行方向に沿った床面又は敷居面に設けた埋込レールに作用させて、引き戸の振れ止めを行なうように構成されている引き戸の支持構造についても規定する。
このような引き戸の支持構造にすると、上述した各構成の特徴を生かした、使い勝手がよく、見栄えも良く、機能性に富んだ引き戸や間仕切り構造が比較的安価な価格で実現できる。特に、引き戸の枚数がある程度ある間仕切りには最適である。
【発明の効果】
【００１６】
本発明による引き戸の吊下げ走行体によれば、該吊下げ走行体が有する磁気吸引力によってローラを介した状態で引き戸を安定した姿勢で鴨居の下面に沿って固定した帯板状のレールから下方の開口に向けて吊下げることができ、開閉に向けた引き戸の走行も円滑に行なうことができるようになった。
【００１７】
また、本発明では、肉厚の薄い複数枚の磁石の間にヨークを挟んで、磁気吸引力を更に高める技術を付加したことによって、引き戸を吊下げる力を更に高めて、吊下げ姿勢の安定性及び落下に対する安全性を一層向上させることができるようになった。
【００１８】
また、本発明では、引き戸用吊下げ走行体のハウジングに設けた取付け部を、磁石付ローラの支軸の下方位置よりも前後いずれかの方向に偏心させた位置に設け、かつ引き戸の上端部に水平回転自在に取り付けられるように構成した結果、引き戸の走行方向をレールの前後幅の範囲内で変化させることができる。特に、複数枚の引き戸を、面を揃えて閉じて見栄えの良い間仕切りにすることができるようになった。
【００１９】
また、本発明では、鴨居の下面に沿って固定した帯板状のレールに、引き戸の上端部に装着した上記吊下げ走行体を磁気吸引力によって開閉自在に吊下げた引き戸の振れ止めを行なう振れ止め具を、引き戸の走行方向に沿った床面又は敷居に設けた埋込レールに磁気吸引力を作用させて引き戸の振れ止めを行なう磁石及び、該磁石を引き戸の下端部に装着するためのハウジングを備えたもので構成した結果、引き戸の振れ止めを引き戸と床面又は敷居の間でも行なうことができるようになり、引き戸の振れ止めを一層向上ることができるようになった。しかも、レールを埋込レールにしたことによって、床面や敷居には凹凸が無く、人やワゴンなどの出入りの邪魔にならず、見栄えもよく、埃が溜まり難く、掃除がし易くなった。
【００２０】
また、本発明では、引き戸の振れ止め具に用いられている磁石を、ハウジングに上下進退自在に支持されたローラを介して、埋込レールに吸着しない程度の高さが維持されるように支持した結果、引き戸の振れ止めと引き戸の円滑な走行を維持させることができるようになった。
【００２１】
そして、鴨居の下面に沿って固定した帯板状のレールに、引き戸上端の前後２箇所に装着した本発明の引き戸用吊下げ走行体を、磁気吸引力を作用させて支持させることにより引き戸を開閉自在に吊下げるとともに、引き戸の下端部に装着した本発明の引き戸の振れ止め具による磁石の吸引力を、引き戸の走行方向に沿った床面又は敷居面に設けた埋込レールに作用させて、引き戸の振れ止めを引き戸の下端部と床面又は敷居との間でも行なうという引き戸の支持構造は、開閉操作が簡単で、見栄えも良く、掃除もし易く、複数枚の引き戸にも対応でき、しかも、引き戸だけでなく間仕切りにも採用することができるようになった。
【発明を実施するための最良の形態】
【００２２】
本発明を実施するための最良の形態は、次の通りである。
鴨居の下面に沿って磁石を吸着させる性質を持つ金属製の帯板状のレールを固定する。
鴨居下方の敷居には磁石を吸着させる性質を持つ金属製の埋込レールを引き戸の枚数に応じた本数を引き戸の開閉方向に向けて、敷居の上面に面を揃えて並行に埋め込む。
そして、引き戸の上端部の走行方向に向けた両端近傍個所に本発明の引き戸用吊下げ走行体を各１個装着する。この吊下げ走行体は、上部を開口させた箱型のハウジングに支軸で回転自在に支持された磁石付ローラを備える。この磁石付きローラは、その両端部を構成しているプラスチック製のローラ本体の間に、ローラ本体より小径の磁石が固定されたもので構成されている。この磁石には、強い磁気吸引力を有するネオジウム磁石が用いられ、磁気吸引を更に高めるために、薄板で形成された複数枚のものがヨークを挟んで一体化されたものが用いられている。ハウジングの下部には、磁石付きローラの支持位置よりも走行方向に偏心させてピンを下方に突出させており、吊下げ走行体はこのピンを軸心にして水平回自在である。また、引き戸の下端部の走行方向に向けた両端近傍個所に引き戸の振れ止め具を備える。この振れ止め具は、筒状のハウジングに水平回転自在に支持させたプラスチック製のローラに、ローラより小径の磁石を固定させてあり、ローラは磁石とともに若干上下進退自在である。
上記吊下げ具と振れ止め具を備えた引き戸を、吊下げ具の磁石の吸引力を利用して鴨居下部のレールに、ローラをレールに接した状態で支持させる。そして、振れ止め具のローラを敷居の埋込レールに上面に位置させる。
【実施例１】
【００２３】
図１は引き戸を鴨居から吊下げた間仕切りを正面図で示し、図２は本発明の吊下げ具とを振れ止め具を装着した引き戸を示した正面図である。そして、図３はその要部を拡大して示した正面断面図であり、図４は同じく側面断面図である。
これら各図に示すように、鴨居１の下部には磁石を吸着させる性質を有する帯板状のレール２がビス止めされて固定されている。そして、敷居３の上部には引き戸の枚数に応じた埋込レール４が、敷居３の上面に沿って形成した溝５内に圧入させて備えられている。この埋込レール４は磁石を吸着させる性質を有する金属製材料で形成した断面視矩形のものである。
このような構成を有する出入り口や間仕切りなどの開口６に１又は複数枚の引き戸７が吊下げられる。この引き戸７の上端部の走行方向に向けた両端近傍個所には、本発明の引き戸用吊下げ走行体（以下、吊下げ体と略称する）８，８が各１個装着されている。
図５は引き戸の上端部に吊下げ走行体８を装着した状態を更に拡大した正面図で示しており図６は同じく側面図で示している。
【００２４】
図５及び図６に示すように、吊下げ走行体８は、上部を開口させた箱型のハウジング９の両壁に支持させた支軸１０に磁石付ローラ１１を回転自在に支持させ、更に、ハウジング９下面部の磁石付ローラ１１が位置する位置よりも走行方向に位置をずらした個所に開孔９ａが形成されており、この開孔９ａの上方から下方に向けて埋込みネジ１２を突入させることができるようになっている。
図７は磁石付ローラ１１を拡大正面図で示し、図８は同じく拡大側面図で示している。
これら各図に示すように、磁石付ローラ１１は、その両端部を構成しているプラスチック製のローラ本体１３，１３の間に、ローラ本体１３，１３よりも小径の円板形状に「形成された肉厚の薄いネオジウムを材料とする磁石（ネオジ磁石とも呼ぶ）１４，１４・・がヨーク１５，１５・・を挟んで固定されて一体形成されたものが用いられている。
このため、磁石付ローラ１１は、両端のローラ本体１３，１３の上端部が鴨居１下面の帯板状のレール２に接した状態で、ヨーク１５，１５・・によって磁力を高めた磁石１４の磁気吸引力をレール２に作用させて支持できるようになっており、図１に示す引き戸７の上端部に装着した２個の吊下げ走行体８，８による磁気吸引力は、引き戸１を安定して吊下げ、かつレール２に沿って引き戸１を走行させることができる強さを有する。
そして、図４に示すネジ１２を軸心にして吊下げ走行体８が引き戸７に対して水平回転自在になっている。
このような構造を有する吊下げ走行体８，８を利用して鴨居１から吊るされた引き戸７の下端部は、敷居３から若干、浮いた状態になっている。
【実施例２】
【００２５】
実施例２では、敷居３から浮いた状態になっている引き戸７の振れ止め具１６ついて説明する。
図９は、この振れ止め具１６内部構造を正面断面図で示しており、図１０は同じく側面断面図で示している。
これら各図に示すように、振れ止め具１６、筒状のハウジング１７挿通支持させたピン１８の下端部にローラ２２の支持部１９が支持され、この支持部１９の両壁面に形成し上下方向に若干長く形成した長孔２０，２０に支軸２１の両端部が支持され、この支軸２１にローラ２２が、回転自在、かつ若干の上下移動が自在に支持されている。
このローラ２２は、プラスチック製のローラ本体２３の両側面に、ローラ本体２３よりも小径の円板で形成されたネオジウム磁石２４を固定させたもので構成されてえいる。
このため、鴨居から吊下げられた引き戸７は、引き戸７の下端部に埋め込んだ振れ止め具１６のローラ２２をその下方の埋込レール４上に位置させた状態で、走行自在であり、上記磁石２４の磁気吸引力をレール４に及ばして、開閉方向に真っ直ぐ走行させることができる。
なお、埋込レール４が並行に複数並んでいるときには、引き戸７の走行方向の先端になる部分を手で持って向きを変える力を加えると、吊下げ走行体８と振れ止め具１６が向きを変えて、引き戸７を隣りの埋込レール４上に移動させることもできる。
【産業上の利用可能性】
【００２６】
本発明の引き戸用吊下げ走行体は、磁気吸引力とローラの回転を生かして引き戸や間仕切りを開閉自在に吊り下げることができ、引き戸の振れ止め具は、磁石の吸引力を作用させて引き戸の振れ止めを行なうという利点を生かすことができるから、敷居に凹凸の無い敷居や床板上に引き戸を配設させることができ、とくに、会議室や大広間の間仕切りには最適である。引き戸の振れ止め具と、これらを用いた引き戸の支持構造に関する。
【図面の簡単な説明】
【００２７】
【図１】引き戸を鴨居から吊下げた間仕切りを示した正面図である。
【図２】本発明の吊下げ具とを振れ止め具を装着した引き戸を示した正面図である。
【図３】同じくその要部を拡大して示した正面断面図である。
【図４】同じく側面断面図である。
【図５】引き戸の上端部に吊下げ走行体を装着した状態を更に拡大して示した正面図である。
【図６】同じく側面図である。
【図７】磁石付ローラを示した拡大正面図である。
【図８】同じく拡大側面図である。
【図９】振れ止め具の内部構造を示した正面断面図である。
【図１０】同じく側面断面図である。
【符号の説明】
【００２８】
１    鴨居
２    帯板状のレール
３    敷居
４    埋込レール
５    溝
６    開口
７    引き戸
８    引き戸用吊下げ走行体（吊下げ走行体）
９    ハウジング
１０    支軸
１１    磁石付ローラ
１２    埋込みネジ
１３    ローラ本体
１４    磁石
１５    ヨーク
１６    振れ止め具
１７    ハウジング
１８    ピン
１９    支持部
２０    長孔
２１    支軸
２２    ローラ
２３    ローラ本体
２４    磁石
【図１】
2005030109.tif 000003
【図２】
2005030109.tif 000004
【図３】
2005030109.tif 000005
【図４】
2005030109.tif 000006
【図５】
2005030109.tif 000007
【図６】
2005030109.tif 000008
【図７】
2005030109.tif 000009
【図８】
2005030109.tif 000010
【図９】
2005030109.tif 000011
【図１０】
2005030109.tif 000012